(57)【要約】      （修正有）【課題】簡単な構造で、網目の大きさを容易に変えることが出来るふるい具を提供する。【解決手段】底板を有し、底板の四辺から側板３、４が夫々立ち上がったふるい本体を設け、底板の周囲を残して、一定の大きさの四辺形の第１網目部７を形成し、底板の上にスライド板５を設け、スライド板５は底板の第１網目部７と同じ大きさ及び形状の第２網目部８を有し、かつ第１網目部７と第２網目部８の網目は上下左右に規則的に並べられ、各網目の大きさ及び配置が同一であり、スライド板５は底板上で相対向する側板３に沿った方向に摺動自在及び係止自在とし、底板の第１網目部７の各網目とスライド板５の第２網目部８の各網目が一致した箇所で係止され、また、スライド板５の第２網目部８と底板の第１網目部７の各網目がずれて、第２網目部８の各網目と第１網目部７の各網目を通した網目の大きさが小さくなった位置で係止される係止手段を有する。【選択図】図３
0003221664.tif 000002
【実用新案登録請求の範囲】
【請求項１】
方形の底板を有し、当該底板の四辺から側板が夫々立ち上がったふるい本体を設け、前記底板の周囲を残して、一定の大きさの四辺形の第１網目部を形成し、
当該底板の上に、底板より小さい大きさの方形のスライド板を設け、当該スライド板は第２網目部を有し、
前記第１網目部と第２網目部の各網目は上下左右に規則的に並べられ、各網目の大きさ及び配置が同一であり、
当該スライド板は底板上で相対向する側板に沿った方向に摺動自在及び係止自在とし、前記底板の第１網目部の各網目と前記スライド板の第２網目部の各網目が一致した箇所で係止され、また、前記スライド板の第２網目部と底板の第１網目部の各網目をずらして、第２網目部の各網目の中に第１網目部の各網目の枠体が入り、当該枠体の脇に形成された、これらの上下の網目を通した網目の大きさが小さくなった位置で係止される係止手段を有することを特徴とする、ふるい具。
【請求項２】
前記第１網目部と第２網目部の各網目の形状が正四角形から成る菱形であることを特徴とする、請求項１に記載のふるい具。
【請求項３】
前記ふるい本体の、相対向する各側板から相互に間隔を空けて複数の押さえ爪が、前記底板にほぼ平行に突設され、前記スライド板は当該各押さえ爪の下で摺動自在に係止されていることを特徴とする、請求項１又は２に記載のふるい具。
【請求項４】
前記係止手段は、前記相対向する各側板から半円形又は先端が丸くなった三角形の係止突起を前記底板上に突設し、前記スライド板の側縁に前記係止突起が嵌合する係止凹部を二つ並べて設け、前記スライド板は、前記いずれかの係止凹部に前記係止突起が嵌合した状態で係止されることを特徴とする、請求項１〜３のいずれかに記載のふるい具。
【請求項５】
前記スライド板の摺動方向の両端につまみを夫々設けたことを特徴とする、請求項１〜４のいずれかに記載のふるい具。
【考案の詳細な説明】
【技術分野】
【０００１】
この考案は、主に園芸用の土作り、鉢の入れ替え、ごみの除去等に用いるふるい具に関するものである。
【背景技術】
【０００２】
植木鉢やプランターなどの花の植え替え時に、一般に土も新しいものに入れ替える場合がある。それに伴い使用済み土の再利用、又は処分するための始末として底石と土の分別が必要となるが、掘り返した使用済み土は、大粒又は小粒の多くの底石が土の中に混じった状態であるため、底石を手で拾うのは大変な手間がかかり、そこで分別用のふるいを使用している。
【０００３】
しかしながら、このふるいの網目が一定であるため、大粒の底石を分別する場合と、小粒の小石を分別する場合とで、網目の異なるふるいを用意しなければならない。
【０００４】
この様なことから、特許文献１に示すように、中央に仕切り壁を設け、当該仕切り壁の一側に網目の大きな土受け部を、他側に網目の小さな土受け部を設け、夫々の土受け部は土をすくうために前方を開け、両側に壁を立て、この両側壁の上縁から夫々２本、中央斜め上方に向けて取っ手用腕を伸ばし、全体の中央上部で取っ手に固定したふるい具が開発された。
【先行技術文献】
【特許文献】
【０００５】
【特許文献１】特開２０１０−８９０６６号公報
【考案の開示】
【考案が解決しようとする課題】
【０００６】
しかしながら、前記特許文献１のものは、網目の異なる２つの土受け部を中央の仕切り壁を境に２つ設けており、使用者は分別する底石等によって当該ふるい具の向きを変えて、使用しなければならず、手間がかかる。２つの土受け部が並んでいるだけなので間違えた方を使用してしまうおそれがある。
【０００７】
そこで、この考案は、簡単な構造で、網目の大きさを容易に変えることが出来るふるい具を提供することを目的としたものである。
【課題を解決するための手段】
【０００８】
請求項１の考案は、方形の底板を有し、当該底板の四辺から側板が夫々立ち上がったふるい本体を設け、前記底板の周囲を残して、一定の大きさの四辺形の第１網目部を形成し、当該底板の上に、底板より小さい大きさの方形のスライド板を設け、当該スライド板は第２網目部を有し、前記第１網目部と第２網目部の各網目は上下左右に規則的に並べられ、各網目の大きさ及び配置が同一であり、当該スライド板は底板上で相対向する側板に沿った方向に摺動自在及び係止自在とし、前記底板の第１網目部の各網目と前記スライド板の第２網目部の各網目が一致した箇所で係止され、また、前記スライド板の第２網目部と底板の第１網目部の各網目をずらして、第２網目部の各網目の中に第１網目部の各網目の枠体が入り、当該枠体の脇に形成された、これらの上下の網目を通した網目の大きさが小さくなった位置で係止される係止手段を有する、ふるい具とした。
【０００９】
また、請求項２の考案は、前記第１網目部と第２網目部の網目の形状が正四角形から成る菱形である、請求項１に記載のふるい具とした。
【００１０】
また、請求項３の考案は、前記ふるい本体の、相対向する各側板から相互に間隔を空けて複数の押さえ爪が、前記底板にほぼ平行に突設され、前記スライド板は当該各押さえ爪の下で摺動自在に係止されている、請求項１又は２に記載のふるい具とした。
【００１１】
また、請求項４の考案は、前記係止手段は、前記相対向する各側板から半円形又は先端が丸くなった三角形の係止突起を前記底板上に突設し、前記スライド板の側縁に前記係止突起が嵌合する係止凹部を二つ並べて設け、前記スライド板は、前記いずれかの係止凹部に前記係止突起が嵌合した状態で係止される、請求項１〜３のいずれかに記載のふるい具とした。
【００１２】
また、請求項５の考案は、前記スライド板の摺動方向の両端につまみを夫々設けた、請求項１〜４のいずれかに記載のふるい具とした。
【考案の効果】
【００１３】
請求項１の考案によれば、スライド板を摺動させて、底板の第１網目部とスライド板の第２網目部の各網目の位置を一致させて係止させると、各網目自体の大きさを維持し、規則正しく並んでいる。従って、例えば土砂を当該ふるい具にかけると土の中から底石の大きいものを容易に選別できる。その際も、作業中に各網目の大きさはむやみに変わらない。
【００１４】
また、この状態から例えば土の中から大小の大きさの底石を選別したい場合は、前記スライド板を反対方向に摺動させて、前記スライド板の第２網目部と底板の第１網目部の各網目をずらして、第２網目部の各網目の中に第１網目部の各網目の枠体が入り、当該枠体の脇にできた、第１網目部の各網目と第２網目部の各網目を通した網目の大きさは小さくなり、小さな石も網目を通さず、これより小さな土砂しか通らない。この様にスライド板をずらすだけで容易にふるい具の網目の大きさを変えることが出来、便利である。従って、網目の大きさの異なった２種類のふるい具を用意する必要がない。
【００１５】
また、請求項２の考案によれば、網目を正方形から成る菱形とし、これを上下左右に配置しているので、スライド板をずらして、底板の第１網目部とスライド板の第２網目部の各網目が一致している状態から各網目を半分ずらすと、１／４の大きさの網目となる。従って、この場合は、各網目の菱形形状は変わらず、大きさのみが変わり、選別する対象物の大きさのみで選別でき、きめ細かな選別が可能となる。
【００１６】
また、請求項３の考案によれば、前記ふるい本体の相対向する各側板から複数の押さえ爪を突設し、これらの押さえ爪によって前記スライド板が底板上で一方向のみに摺動自在に係止されており、構造が極めて簡単で、製造が容易である。
【００１７】
また、請求項４の考案によれば、前記スライド板は、前記いずれかの係止凹部に前記係止突起が嵌合した状態で係止される構成であり、また当該係止によって、前記のように底板の第１網目部とスライド板の第２網目部の各網目の位置を一致させたり、ずらして網目を小さくする構成としているため、構造がシンプルであり、製造が容易である。
【００１８】
また、請求項５の考案によれば、スライド板の両端につまみが設けられているため、つまみを持ってスライド板を動かせば、摺動が容易である。
【図面の簡単な説明】
【００１９】
【図１】この考案の実施の形態例１のふるい具の平面図である。
【図２】この考案の実施の形態例１のふるい具の側面図である。
【図３】この考案の実施の形態例１のふるい具の、図２のＡ−Ａ線断面図である。
【図４】この考案の実施の形態例１のふるい具の係止手段の説明要図であり、（ａ）図は図中係止突起を右側の係止凹部に入れた状態の図、（ｂ）図は図中係止突起を左側の係止凹部に入れた状態の図である。
【図５】この考案の実施の形態例１のふるい具のふるい本体の平面図である。
【図６】この考案の実施の形態例１のふるい具のスライド板の平面図である。
【図７】この考案の実施の形態例１のふるい具のスライド板の側面図である。
【図８】この考案の実施の形態例１のふるい具の底板の第１網目部とスライド板の第２網目部の各網目の位置を一致させた状態の部分拡大平面図である。
【図９】この考案の実施の形態例１のふるい具の底板の第１網目部とスライド板の第２網目部の各網目の位置をずらして、各網目を実質的に小さくさせた状態の部分拡大平面図である。
【図１０】この考案の実施の形態例２のふるい具の底板の第１網目部とスライド板の第２網目部の各網目の位置を一致させた状態の部分拡大平面図である。
【図１１】この考案の実施の形態例２のふるい具の底板の第１網目部とスライド板の第２網目部の各網目の位置をずらして、各網目を実質的に小さくさせた状態の部分拡大平面図である。
【考案を実施するための形態】
【００２０】
（実施の形態例１）
この考案の実施の形態例１のふるい具を図に基づいて説明する。
【００２１】
前記ふるい具は、図１〜図３に示すように、長方形の底板２を有し、当該底板２の四辺から相対向する側板３、４が夫々立ち上がったふるい本体１を設け、前記底板２の上に摺動自在に被せたスライド板５を設けて構成されている。前記各側板３、４は外側に向けてやや傾斜しており、その上縁から略水平な突縁６を有している。また、前記スライド板５は底板２より小さい大きさの長方形である。
【００２２】
前記底板２には、周囲を残して、一定の大きさの四辺形の第１網目部７が形成され、当該第１網目部７は、正方形から成る菱形の網目７ａが平面視で上下左右に規則的に並べられている。また、前記スライド板５は、周囲を残して、前記底板２の第１網目部７と同じ大きさ及び形状の第２網目部８が形成されている。この第２網目部８の各網目８ａは、前記第１網目部７の網目７ａと同じ形状、大きさ及び配列となっている。
【００２３】
また、前記ふるい本体１の長手方向の相対向する側板３、３の内側には、間隔を空けて複数の押さえ爪９が底板２とほぼ平行に突設されている。これらの押さえ爪９は前記スライド板５の長手方向の両側の外周縁を押さえており、これにより、スライド板５は、底板２の上で、ふるい本体１の長手方向に摺動自在に係止されている。
【００２４】
また、前記押さえ爪９のある各側板３から底板２上に半円形又は先端が丸くなった三角形の係止突起１０が突設されている。また、この係止突起１０に対向する位置のスライド板５の外周縁に、前記係止突起１０が嵌合する係止凹部１１が２つ並んで設けられている。
【００２５】
そして、前記係止突起１０が一方の係止凹部１１に嵌合した状態（図４の（ａ）図参照）で、底板２の第１網目部７の各網目７ａとスライド板５の第２網目部８の各網８ａ目の位置が一致している構成とした。この状態を図８に示す。また、前記係止突起１０が他方の係止凹部１１に嵌合した状態（図４の（ｂ）図参照）で、底板２の第１網目部７の各網目７ａとスライド板５の第２網目部８の各網目８ａとの位置がずれて、第２網目部８の各網目内に第１網目部７の各網目の枠体が入り、当該枠体７ｂの脇に（平面視で枠体７ｂの上下左右の脇）、これらの第１網目部７と第２網目部８を通した網目が小さくなった状態となるように構成されている。
【００２６】
この網目が小さくなった状態の各小網目１２は、図９に示すように、各網目７ａと８ａが一致している状態の大きさの約１／４の大きさとなり、網目の形状は相似形となっている。
【００２７】
この様に、実施の形態例１では、網目７ａと網目８ａとの位置が一致した状態でスライド板５が係止され、スライド板５を底板２上でずらして、網目８ａを網目７ａに対して網目の半分の幅をずらした状態（図９の状態）にすると、その位置で係止される。また、前記スライド板５を摺動させるには、前記各係止突起１０を２つの連なる係止凹部１１の一方から他方に入れ替えなければならず、摺動に力を要する。このスライド板５の摺動のために、スライド板５の両端につまみ１３、１３が設けられており、これらのつまみ１３を持ってスライド板５を押すと容易に摺動することができる。
【００２８】
（実施の形態例２）
次にこの考案の実施の形態例２について説明する。
【００２９】
実施の形態例２は、実施の形態例１とほぼ同じ構成で、ふるい本体１の底板２の第１の網目部７とスライド板５の第２網目部８の網目の形状のみが異なる。この網目７ｃと網目８ｃは、図１０に示すように、正方形の網目となっている。
そして、これらの網目７ｃと網目８ｃとの位置が一致した場合は、図１０の状態であり、この状態で実施の形態例１と同様にスライド板５が底板２上で係止されている。
【００３０】
一方、この状態からスライド板５を底板２上でずらした状態で実施の形態例１と同様に係止されると、図１１に示すように、前記第２網目部８の各網目８ｃの中の中央に前記第１網目部７の各網目７ｃの枠体７ｄが入り、この枠体７ｄの両側に小網目１４を形成する。この小網目１４は網目７ｃ及び網目８ｃの半分となり、縦長の長方形となる。
【００３１】
なお、上記実施の形態例１、２では網目の形状を菱形、正方形としたが、網目の形状は他の形状にしても、網目の大きさを変えることが出来る。また、スライド板５の摺動方向は、上記実施の形態例１、２においては、図１において、左右方向であるが、これに限らず、ふるい本体１の上下方向に摺動させる構成とすることも可能である。
【００３２】
また、上記実施の形態例１、２ではスライド板５の摺動方向を規制するため、押さえ爪９を設けたが、押さえ爪９に限らず、適宜の構造でスライド板５の方向を規制できる。また、スライド板５の底板２上における係止手段についても、上記実施の形態例１、２では係止突起１０と係止凹部１１による構造としているが、これに限らず、他の構造の係止手段を用いることが出来る。
【００３３】
この様に、この考案では、スライド板５を決められた一定の方向にずらすことにより網目の大きさを変えることができる。そして、２つの各大きさの網目となった状態でスライド板５が夫々係止されているため、当該ふるい具の使用中にむやみに網目の大きさが変わったりせず、土等のふるいの対象物を的確に分別することが出来る。
【符号の説明】
【００３４】
１      ふるい体                  ２      底板
３      側板                      ４      側板
５      スライド板                ６      突縁  
７      第１網目部                ７ａ    網目
７ｂ    枠体                      ７ｃ    網目
７ｄ    枠体                      ８      第２網目部
８ａ    網目                      ８ｂ    枠体
８ｃ    網目                      ８ｄ    枠体
９      押さえ爪                  １０    係止突起
１１    係止凹部                  １２    小網目
１３    つまみ                    １４    小網目
【図１】
0003221664.tif 000003
【図２】
0003221664.tif 000004
【図３】
0003221664.tif 000005
【図４】
0003221664.tif 000006
【図５】
0003221664.tif 000007
【図６】
0003221664.tif 000008
【図７】
0003221664.tif 000009
【図８】
0003221664.tif 000010
【図９】
0003221664.tif 000011
【図１０】
0003221664.tif 000012
【図１１】
0003221664.tif 000013
【手続補正書】
【提出日】平成31年4月8日(2019.4.8)
【手続補正１】
【補正対象書類名】実用新案登録請求の範囲
【補正対象項目名】請求項１
【補正方法】変更
【補正の内容】
【請求項１】
方形の底板を有し、当該底板の四辺から側板が夫々立ち上がったふるい本体を設け、前記底板の周囲を残して、一定の大きさの四辺形の第１網目部を形成し、
当該底板の上に、底板より小さい大きさの方形のスライド板を設け、当該スライド板は第２網目部を有し、
前記第１網目部と第２網目部の各網目は上下左右に規則的に並べられ、各網目の大きさ及び配置が同一であり、
当該スライド板は底板上で相対向する側板に沿った方向に摺動自在及び係止自在とし、
前記スライド板を底板上で係止する係止手段は、側板から突出する係止突起と前記スライド板の側縁に二つ並べた、前記係止突起が嵌合自在な係止凹部とから成り、
前記底板の第１網目部の各網目と前記スライド板の第２網目部の各網目が一致する位置に前記一方の係止凹部が設けられ、その位置で前記係止突起が前記一方の係止凹部に嵌合、係止され、また、前記スライド板の第２網目部と底板の第１網目部の各網目をずらして、第２網目部の各網目の中に第１網目部の各網目の枠体が入り、当該枠体の脇に形成された、これらの上下の網目を通した網目の大きさが小さくなった位置に前記他方の係合凹部が設けられ、その位置で前記係止突起が他方の係止凹部に嵌合、係止される構成としたことを特徴とする、ふるい具。
【手続補正２】
【補正対象書類名】実用新案登録請求の範囲
【補正対象項目名】請求項４
【補正方法】変更
【補正の内容】
【請求項４】
前記係止手段は、前記スライド板のスライド方向に直角な相対向する各側板から半円形又は先端が丸くなった三角形の係止突起を前記底板上に突設し、前記係止突起を突設した各側板に対向する前記スライド板の各側縁に前記係止凹部を二つ並べて設け、前記スライド板は、前記いずれかの係止凹部に前記係止突起が嵌合した状態で係止されることを特徴とする、請求項１〜３のいずれかに記載のふるい具。